(57)【要約】【課題】  粗面加工用工具の高寿命化を図るとともに、粗面化する加工面を均一化する。【解決手段】  シリンダボア部５に対し、その軸線方向に切削工具３を送りつつ回転させて、シリンダボア内面７をねじ状に切削加工して粗面化する。このとき、粗面化加工に使用する粗面加工用工具１３を、粗面化加工の前加工に使用するファインボーリング用工具１１とともに同一の工具本体９に保持させ、この工具本体９の一方向の移動によって、ファインボーリング用工具１１によるファインボーリング加工に追随するようにして粗面加工用工具１３による粗面化加工を行う。  【選択図】      図１
2010228095.tif 000002
【特許請求の範囲】
【請求項１】
円筒状部材に対し、その軸線方向に工具本体を相対的に送りつつ、軸線を中心として前記工具本体を相対的に回転させて、前記円筒状部材の内面をねじ状に切削加工して粗面化する際に、前記粗面化加工に使用する粗面加工用工具を、前記粗面化加工の前加工に使用する前加工用工具とともに同一の前記工具本体に保持させ、この工具本体を用いて、前記前加工用工具により前加工を行った後、前記粗面加工用工具により粗面化加工を行う粗面化加工方法であって、前記粗面加工用工具が、前記前加工用工具よりも、前記工具本体の軸心に対して径方向外側でかつ、前記工具本体の前記軸線方向への工具送り方向後方側に位置する前記工具本体を、前記円筒部材に対しその軸線方向の一方へ移動させることで、前記前加工用工具による前加工に追随するようにして前記粗面加工用工具による粗面加工を行うことを特徴とする粗面化加工方法。
【請求項２】
前記粗面加工用工具の送り方向後方側の前記円筒状部材の内面に残るねじ状部分の山部に前記粗面加工用工具により応力を作用させ、前記山部を破断して破断面を形成することを特徴とする請求項１に記載の粗面化加工方法。
【請求項３】
前記山部の幅方向における前記粗面加工用工具側の一部に前記応力を作用させることで、この応力作用部を、前記山部を破断する際の起点とすることを特徴とする請求項２に記載の粗面化加工方法。
【請求項４】
前記山部の幅方向における山部全体に前記応力を作用させることで、前記山部の幅方向全体を破断させることを特徴とする請求項２に記載の粗面化加工方法。
【請求項５】
前記粗面加工用工具の送り方向後方側の前記円筒状部材の内面に残るねじ状部分の山部と山部との間の谷部の両側における斜面相互がなす角度の中心線が、前記円筒状部材の内面の法線方向に対して傾斜した状態となるよう切削加工を行うことを特徴とする請求項１ないし４のいずれか１項に記載の粗面化加工方法。
【請求項６】
前記粗面加工用工具の送り方向後方側の前記円筒状部材の内面に残るねじ状部分の山部と山部との間の谷部の両側における斜面の形状が、前記円筒状部材の内面の法線方向に対して非対称となるように切削加工を行うことを特徴とする請求項１ないし４のいずれか１項に記載の粗面化加工方法。
【請求項７】
前記ねじ状部分の谷部に凹部を形成しつつ切削加工を行うことを特徴とする請求項１ないし６のいずれか１項に記載の粗面化加工方法。
【請求項８】
前記凹部が、前記ねじ状部分の谷部の両側における斜面に形成されるよう切削加工することを特徴とする請求項７に記載の粗面化加工方法。
【発明の詳細な説明】
【技術分野】
【０００１】
本発明は、円筒状部材に対し、その軸線方向に切削工具を相対的に送りつつ、軸線を中心として切削工具を相対的に回転させて、円筒状部材の内面をねじ状に切削加工して粗面化する粗面化加工方法に関する。
【背景技術】
【０００２】
自動車用エンジンの重量低減および排気処理対応に効果のあるライナレスアルミシリンダブロックのシリンダボア内面に対して溶射皮膜を形成する際に、その前工程として、溶射皮膜の密着性を高める目的でシリンダボア内面を粗面に形成する必要がある。
【０００３】
このようなシリンダボア内面など、円筒状部材の表面を粗面に形成する方法として、切削工具（粗面加工用工具）を用いて切削加工により粗面化する手法が下記特許文献１，２に記載されている。
【先行技術文献】
【特許文献】
【０００４】
【特許文献１】特開２００２−１５５３５０号公報
【特許文献２】特開平１０−７７８０７号公報
【発明の概要】
【発明が解決しようとする課題】
【０００５】
ところで、上記した粗面化加工のための切削加工を行う際に、その前加工として粗面化加工に使用する切削工具とは別の切削工具によりファインボーリング加工を行う必要がある。
【０００６】
この場合、ファインボーリング加工専用の工具本体に設けた切削工具によりファインボーリング加工を行った後、粗面化加工専用の工具本体に設けた切削工具により粗面化加工を行う。
【０００７】
ところが、このような加工方法では、ファインボーリング加工を行う際の工具本体と、粗面化加工を行う際の工具本体との間で軸心ずれが発生する恐れがあり、このような場合には、粗面化加工を行う際の取り代にばらつきが発生し、その結果粗面加工用工具は、取り代が大きくなる部分を切削する際の抵抗が大きくなって破損を招くとともに、粗面化加工面が不均一となってその後の溶射皮膜の密着性が低下する。
【０００８】
そこで、本発明は、粗面加工用工具の高寿命化を図るとともに、粗面化加工面を均一化することを目的としている。
【課題を解決するための手段】
【０００９】
本発明は、粗面加工用工具が、前加工用工具よりも、工具本体の軸心に対して径方向外側でかつ、工具本体の軸線方向への工具送り方向後方側に位置する工具本体を、円筒部材に対しその軸線方向の一方へ移動させることで、前加工用工具による前加工に追随するようにして粗面加工用工具による粗面加工を行うことを最も主要な特徴とする。
【発明の効果】
【００１０】
本発明によれば、粗面加工用工具と前加工用工具とを保持させた工具本体を用い、前加工用工具による前加工に追随するようにして粗面加工用工具により粗面化加工を行うようにしたので、前加工時とその後の粗面化加工時での工具本体の軸心ずれを防止でき、その結果粗面化加工を行う際の粗面加工用工具は、取り代が均一化して切削抵抗を小さくでき、破損を防止できるとともに、粗面化加工面が均一化してその後形成する溶射皮膜の密着性が向上する。
【００１１】
また、前加工用工具で円筒状部材の内面を加工する際には、前加工用工具が内面を押圧して外側に押し広げようとする力が作用して、円筒状部材が弾性変形し、その後前加工に追随するようにして粗面加工用工具により粗面加工を行うので、粗面化加工面を均一化させることができる。
【図面の簡単な説明】
【００１２】
【図１】本発明の第１の実施形態に係わる粗面化加工方法を示す断面図である。
【図２】（ａ）は図１の粗面化加工方法に使用する切削工具の正面図、（ｂ）は同平面図である。
【図３】図２に示した粗面加工用工具の具体化した構成を示す正面図である。
【図４】図３の平面図である。
【図５】図３のＡ部を拡大した切刃によって切削加工を行っている状態を示す断面図である。
【図６】図３の粗面加工用工具とは別の例を示す粗面加工用工具の正面図である。
【図７】図６のＢ矢視図である。
【図８】図６の粗面加工用工具によって切削加工を行っている状態を示す、図５に相当する断面図である。
【図９】図３の粗面加工用工具の変形例を示す、図８に相当する断面図である。
【図１０】図３の粗面加工用工具に対してさらに別の例を示す粗面加工用工具の拡大した正面図である。
【図１１】図１０の平面図である。
【図１２】図１０のＣ部を拡大した切刃によって切削加工を行っている状態を示す断面図である。
【図１３】図１２に対して他の例の切刃により切削加工を行っている状態を示す断面図である。
【図１４】図１２に対してさらに他の例の切刃によって切削加工を行っている状態を示す断面図である。
【図１５】図１２の例に対する比較例を示す断面図である。
【図１６】図１３の切刃によってシリンダボア内面に対して非加工部分を残す例を示す断面図である。
【図１７】図３の粗面加工用工具に対してさらに別の例を示す粗面加工用工具の拡大した正面図である。
【図１８】図１７の平面図である。
【図１９】図１７のＥ部を拡大した切刃によって切削加工を行っている状態を示す断面図である。
【図２０】図１７に対して他の例の切刃により切削加工を行っている状態を示す断面図である。
【図２１】図１７に対してさらに他の例の切刃によって切削加工を行っている状態を示す断面図である。
【図２２】図１９の切刃によってシリンダボア内面に対して非加工部分を残す例を示す断面図である。
【図２３】粗面化加工したシリンダボア内面に溶射皮膜を形成するための溶射装置の概略を示す全体構成図である。
【発明を実施するための形態】
【００１３】
以下、本発明の実施の形態を図面に基づき説明する。
【００１４】
図１は、本発明の第１の実施形態に係わる粗面化加工方法を示す断面図であり、エンジンのシリンダブロック１とともに切削工具３を示している。シリンダブロック１は、粗面化加工する円筒状部材としてのシリンダボア部５を有し、そのシリンダボア内面７に対して粗面化加工を行う。
【００１５】
上記したシリンダブロック１は、アルミ合金（ＡＤＣ１２材）からなるダイカスト製であり、シリンダボア内面７を後述する方法でファインボーリング加工および粗面化加工した後、鉄系材料からなる溶射用材料を後述する方法でシリンダボア内面７に溶射して溶射皮膜を形成する。
【００１６】
上記したシリンダボア内面７に対してファインボーリング加工および粗面化加工を行う際には、切削工具３を用いる。切削工具３は、工具本体９の先端（下端）周囲に、前加工用工具としてのファインボーリング用工具１１と、粗面加工用工具１３とをそれぞれ設けている。
【００１７】
図２（ａ）は切削工具３の正面図、図２（ｂ）は同平面図で、ファインボーリング用工具１１は、円周方向に沿って互いに１８０°隔てた位置に２つ設けている。一方粗面加工用工具１３は、２つのファインボーリング用工具１１相互間に１つ設けてあり、かつ図２（ａ）に示すように、その切刃１３ａの先端の軸方向（図２（ａ）中で上下方向）位置を、ファインボーリング用工具１１の切刃１１ａの先端の同軸方向位置より、図２（ａ）中で間隔Ｈだけ上部としている。
【００１８】
そして、粗面加工用工具１３の切刃１３ａの先端の径方向位置は、ファインボーリング用工具１１によりシリンダボア内面７をファインボーリング加工した後、粗面加工用工具１３で粗面化加工が可能なように、ファインボーリング用工具１１の切刃１１ａの先端位置よりも、工具本体９の中心から離れて径方向外側となっている。
【００１９】
上記した切削工具３を、図１に示すように、シリンダボア部５内に回転しながら挿入することで、挿入方向前方にあるファインボーリング用工具１１がシリンダボア内面７をファインボーリング加工し、その加工面を挿入方向後方に位置する粗面加工用工具１３が粗面化加工する。
【００２０】
このように、上記した第１の実施形態によれば、粗面化加工に使用する粗面加工用工具１３を、粗面化加工の前加工に使用するファインボーリング用工具１１とともに同一の工具本体９に保持させ、この工具本体９を用いて、ファインボーリング用工具１１によるファインボーリング加工の後、粗面加工用工具１３により粗面化加工を行うようにしたので、ファインボーリング加工時とその後の粗面化加工時での工具本体９の軸心ずれを防止でき、その結果粗面化加工を行う際の粗面加工用工具１３は、取り代が均一化して切削抵抗を小さくでき、破損を防止できるとともに、粗面化加工面が均一化してその後形成する溶射皮膜の密着性が向上する。
【００２１】
また、粗面加工用工具１３を、ファインボーリング用工具１１に対して切削工具３の送り方向後方に位置させた状態で、切削工具３の一方向の移動により、ファインボーリング加工に追随するようにして粗面化加工を行うので、これら一連の加工を短時間で行うことができ、加工効率が向上する。
【００２２】
また、ファインボーリング用工具１１でシリンダボア内面７を加工する際には、ファインボーリング用工具１１がシリンダボア内面７を押圧して外側に押し広げようとする力が作用して、シリンダブロック１が弾性変形し、その後前加工に追随するようにして粗面加工用工具１３により粗面加工を行うので、粗面化加工面を均一化させることができる。
【００２３】
なお、上記した実施形態において、シリンダボア内面７を切削加工する際には、切削工具３を固定状態とし、シリンダブロック１側を軸方向移動および回転移動させるようにしてもよい。
【００２４】
図３は、上記図２に示した粗面加工用工具１３または２１のより具体化した構成を示す正面図、図４は図３の平面図であり、ここでは図１の粗面加工用工具１３として示している。この粗面加工用工具１３は、図４に示すように、円周方向等間隔に３つの切刃１３ａを備え、各切刃１３ａは、工具本体９の側面から外方に突出している。
【００２５】
そして、図１に示すように、切削工具３が、シリンダボア部５の軸線方向（図１中で上下方向）に移動しつつ、軸線を中心として図４中で反時計回り方向に回転することで、上記図３，図４に示した切刃１３ａにより、シリンダボア内面７をねじ状に切削加工する。
【００２６】
上記した３つの切刃１３ａは、加工に使用している１つが摩耗したときに、工具本体９から取り外し、１２０度回転させた状態で再度工具本体９に取り付けることで、他の切刃１３ａを使用することができる。
【００２７】
そして、この切削加工時に形成したねじ状部分の凹凸部における山部を除去して破断面を形成するために、上記した粗面加工用工具１３は、切刃１３ａの図３中で上部の傾斜した面１３ｂに、破断面形成刃としての凸部１３ｃを設けている。凸部１３ｃは、切刃１３ａのすくい面１３ｄからその反対側の底面１３ｅにわたり延長して形成してある。
【００２８】
上記した凸部１３ｃは、図３のＡ部を拡大した切刃１３ａによって切削加工を行っている図５に示すように、粗面加工用工具１３の送り方向後方側（図５中で上部側）のシリンダボア内面７に残るねじ状部分の山部３９に応力を作用させ、これにより山部３９を破断して破断面４１を形成する。なお、図５中で、符号４２は切刃１３ａの切削により発生する切り屑であり、粗面加工用工具１３は、図５中で紙面裏側から同表側に向かって移動（回転）するものとする。
【００２９】
この際、切刃１３ａの凸部１３ｃは、山部３９の幅方向（図５中で上下方向）における切刃１３ａ側（図５中で下部側）の一部に前記応力を作用させることで、山部３９を破断する際の起点を形成する。このような山部３９を破断する際の起点を形成することで、切刃１３ａによる切削加工時に、山部３９を容易に破断することができ、破断面４１の形状を安定化させることができる。
【００３０】
また、山部３９を凸部１３ｃによって容易に破断できるので、切刃１３ａに作用する切削応力が軽減し、粗面加工用工具１３の長寿命化も達成することができる。
【００３１】
上記したよう、破断面４１の形状が安定化することで、後述するような方法により、シリンダボア内面７に溶射皮膜を形成する際に、溶射皮膜のシリンダボア内面７に対する密着力を高めることができ、信頼性の高いシリンダボア内面７とすることができる。
【００３２】
なお、切刃１３ａに設けた凸部１３ｃは、すくい面１３ｄ付近にのみ形成するなど、山部３９に対して応力が作用するものであれば、上記図３，図４に示した形状に限定されるものではない。
【００３３】
図６は、前記図３に示した粗面加工用工具１３とは別の例を示す粗面加工用工具４３の正面図である。この粗面加工用工具４３は、図３のものと同様に、円周方向等間隔に３つの切刃４３ａを備え、この切刃４３ａの図６中で上部の面４３ｂに、前記図５の粗面加工用工具４３の凸部１３ｃに代えて、上記した面４３ｂに膨出する破断面形成刃となる膨出部４３ｃを設けている。
【００３４】
図７は、図６のＢ矢視図である。ここで切刃４３ａのすくい面４３ｄが、シリンダボア内面７に対する法線Ｌに対し、粗面加工用工具４３の回転移動方向と逆方向に角度α傾斜している。このすくい面４３ｄの傾斜については、前記図３に示した粗面加工用工具１３も同様である。
【００３５】
これに対して膨出部４３ｃのすくい面４３ｅは、同法線Ｍに対し、すくい面４３ｄとは反対の、粗面加工用工具４３の回転移動方向側に角度β傾斜している。
【００３６】
上記した粗面加工用工具４３を使用して、シリンダボア内面７に対して粗面化加工を行う場合には、前記図５に相当する図８に示すように、図５と同様にして切刃４３ａによりシリンダボア内面７を切削加工してねじ状部分を形成するとともに、切削加工時に形成したねじ状部分の凹凸部における山部３９の幅方向（図８中で上下方向）全体を、膨出部４３ｃによって除去して前記図５に示したものとほぼ同様な破断面４１を形成する。
【００３７】
このとき膨出部４３ｃは、切刃４３ａの先端側に位置する端面４３ｆが、山部３９を除去した後の破断面４１に接触した状態となる。
【００３８】
このように、図６の粗面加工用工具４３を使用した場合には、粗面加工用工具４３の送り方向後方側のシリンダボア内面７に残るねじ状部分の山部３９の幅方向全体に、膨出部４３ｃによって応力を作用させ、山部３９を破断して破断面４１を形成するようにしたので、切削時に発生する切削片によって破断面を形成する場合に比較して、破断面４１の形状がより安定化する。
【００３９】
この際、膨出部４３ｃのすくい面４３ｅは、図７に示すようにシリンダボア内面７に対する法線Ｍに対し、すくい面４３ｄとは反対の、粗面加工用工具４３の回転移動方向側に角度β傾斜しているので、山部３９の除去を、すくい面４３ｄと同方向に傾斜する場合と比較して、より確実に行うことができる。
【００４０】
図９は、上記図６に示した粗面加工用工具４３の変形例を示す、図８に相当する断面図である。この例は、粗面加工用工具４３の膨出部４３ｃにおける、山部３９を除去した後の破断面４１に接触する端面４３ｆｓに、破断面４１を凹凸形状とするような凹凸形状部を設けている。
【００４１】
これにより、破断面４１の形状がより微細なものとなり、溶射皮膜の密着力をより高めることができる。
【００４２】
図１０は、さらに別の例を示す粗面加工用工具４５の正面図で、図１１は図１０の平面図である。この粗面加工用工具４５は、図３のものと同様に、図１１に示すように、円周方向等間隔に３つの切刃４５ａを備えている。
【００４３】
そして、図１に示すように、切削工具３が、シリンダボア部５の軸線方向（図１中で上下方向）に移動しつつ、軸線を中心として図１１中で反時計回り方向に回転することで、上記図１０，図１１に示した切刃４５ａにより、シリンダボア内面７をねじ状に切削加工する。
【００４４】
切刃４５ａは、図１０に示すように、図１０中で上部側の面が、先端側が基端側に比べて図１０中で下部側となる傾斜面４５ｂに形成し、同下部側の面を水平面４５ｃに形成している。また、傾斜面４５ｂの先端側のすくい面４５ｄ近傍には突起４５ｅを設けている。
【００４５】
このような３つの切刃４５ａは、加工に使用している１つが摩耗したときに、工具本体９から取り外し、１２０度回転させた状態で再度工具本体９に取り付けることで、他の切刃４５ａを使用することができる。
【００４６】
図１２は、図１０のＣ部を拡大した切刃４５ａによって切削加工を行っている状態を示す断面図である。なお、粗面加工用工具４５は、図１２中で紙面裏側から同表側に向かって移動（回転）するものとする。
【００４７】
上記した切削加工時、すなわち図１に示すように、切削工具３をシリンダボア部５内に回転させつつ挿入することで、シリンダボア内面７をねじ状に切削加工する際に、凹凸形状となるねじ状部分の山部３９を、切刃４５ａの傾斜面４５ｂまたは切削によって発生する切り屑４２により破断し、破断面４１を形成する。
【００４８】
また、傾斜面４５ｂの先端側に設けた突起４５ｅにより、互いに隣接する破断面４１相互間に残る谷部４７の工具送り方向後方側の斜面４７ａに凹部４９を形成する。
【００４９】
このような切刃４５ａは、粗面加工用工具４５の送り方向後方側のシリンダボア内面７に残るねじ状部分の山部３９と山部３９との間の谷部４７の両側における斜面４７ａ，４７ｂ相互がなす角度θの中心線Ｐが、シリンダボア内面７の法線Ｑ方向に対して傾斜した状態となるよう切削加工する。
【００５０】
また、言い換えれば、切刃４５ａは、粗面加工用工具４５の送り方向後方側のシリンダボア内面７に残るねじ状部分の山部３９と山部３９との間の谷部４７の両側における斜面４７ａ，４７ｂの形状が、シリンダボア内面７の法線Ｑ方向に対して非対称となるよう切削加工する。
【００５１】
したがって、切刃４５ａは、例えば図１３に示すように、図１２の水平面４５ｃに代えて、切刃４５ａの先端の角度θがより鋭角的となる下部傾斜面４５ｃｓとしてもよく、また図１４に示すように、図１２の水平面４５ｃに代えて、切刃４５ａの先端の角度θがより鈍角的となる下部傾斜面４５ｃｔとしてもよい。
【００５２】
このように、図１０の粗面加工用工具４５を使用した場合には、粗面加工用工具４５の送り方向後方側のシリンダボア内面７に残るねじ状部分の山部３９と山部３９との間の谷部４７の両側における斜面４７ａ，４７ｂ相互がなす角度θの中心線Ｐが、シリンダボア内面７の法線Ｑ方向に対して傾斜した状態となるよう切削加工を行うようにしている。これにより、谷部４７の両側の斜面４７ａ，４７ｂのうち一方側（図１２〜１４中で下部側の斜面４７ｂ）が、シリンダボア内面７の法線Ｑ方向と一致し（図１２）、あるいは法線Ｑ方向により近い状態（図１３，図１４）となる。
【００５３】
このため、図１５の比較例に示すような谷部４７０の形状、すなわち谷部４７０両側の斜面４７０ａ，４７０ｂ相互がなす角度θが、シリンダボア内面７０の法線Ｑ方向に対して対称的となっている場合に比較して、本実施形態における谷部４７の斜面４７ｂを、法線Ｑ方向により接近させた状態とすることができ、粗面化加工部分に形成する溶射皮膜の谷部４７への侵入部分が剥離しにくくなる。なお、図１５中で、符号４５０は粗面加工用工具、符号４５０ａは粗面加工用工具４５０の切刃、符号３９０は山部、符号４１０は破断面である。
【００５４】
ところで、エンジン燃焼時に、図示しないピストンが燃料圧力を受けてシリンダボア内面７に対し、特に図１中で下方に向けて摺接しつつ移動する際に、シリンダボア内面７に形成する溶射皮膜を剥離しようとする力が作用する。
【００５５】
ところが、本実施形態では、上記した谷部４７における図１２〜図１４中で下部側に位置する一方の斜面４７ｂが、上部側に位置する他方の斜面４７ａに対してピストン下死点側に位置しており、この一方の斜面４７ｂがシリンダボア内面７の法線Ｑ方向により近い状態となっているので、前記したピストンが下方に摺接移動する際に溶射皮膜を剥離しようとする力が働いても、溶射皮膜の剥離を防止することができる。これは特に、図１３の例ように、工具送り方向前方側に位置する一方の斜面４７ｂが、法線Ｑよりも工具送り方向後方側に位置する他方の斜面４７ａに近づくように、法線Ｑに対して傾斜している場合に有効である。
【００５６】
このようなことからも、谷部４７の両側の斜面４７ａのうち図１２〜１４中で下部側の斜面４７ｂが、シリンダボア内面７の法線Ｑ方向と一致し、あるいは法線Ｑ方向により近い状態としている粗面加工用工具４５を使用した場合には、粗面化加工後に形成する溶射皮膜の谷部４７への侵入部分が剥離しにくくなり、溶射皮膜のシリンダボア内面７に対する密着力を高めることができ、信頼性の高いシリンダボア内面７とすることができる。
【００５７】
また、切刃４５ａの傾斜面４５ｂ上に設けた突起４５ｅにより、谷部４７の図１２中で上部側の斜面４７ａには凹部４９が形成されるので、この凹部４９に溶射皮膜が入り込み、シリンダボア内面７に対する密着力をより一層高めることができる。
【００５８】
また、前記図１３に示すように、図１２の水平面４５ｃに代えて、切刃４５ａの先端角度θがより鋭角的となる下部傾斜面４７ｃｓとした場合には、図１６に示すように、シリンダボア内面７に対して軸方向全体に切削加工を行わず、図１６中で下端部に非加工部分Ｄを残す。
【００５９】
これにより、非加工部分Ｄより上部の切削加工部分における最下端部の谷部４７が、シリンダボア内面７の下端開口部分に開口せず、閉じた状態となり、しかも最下端の谷部４７の下部側の斜面４７ｂｕが、図１６中で右上がりとなっているので、この最下端の谷部４７に入り込んだ溶射被膜が極めて剥離しにくくなり、溶射被膜全体としてシリンダボア内面７に対する密着力が向上する。
【００６０】
図１７は、さらに別の例を示す粗面加工用工具５１の正面図で、図１８は図１７の平面図である。この粗面加工用工具５１は、図１８に示すように、円周方向等間隔に３つの切刃５１ａを備えている。
【００６１】
そして、図１に示すように、切削工具３が、シリンダボア部５の軸線方向（図１中で上下方向）に移動しつつ、軸線を中心として図１８で反時計回り方向に回転することで、上記図１７，図１８に示した切刃５１ａにより、シリンダボア内面７をねじ状に切削加工する。
【００６２】
切刃５１ａは、図１７に示すように、図１７中で上部側の面が、先端側が基端側に比べて図１７中で下部側となる上部傾斜面５１ｂに形成するとともに、同下部側の面も、先端側が基端側に比べて図１７中で下部側となる下部傾斜面５１ｃに形成する。下部傾斜面５１ｃは、上部傾斜面５１ｂに対して傾斜が緩やかであり、これにより、上部傾斜面５１ｂと下部傾斜面５１ｃとの先端相互が交差して切刃５１ａの先端部を鋭角的に形成する。
【００６３】
また、上部傾斜面５１ｂの先端側のすくい面５１ｄ近傍には上部突起５１ｅを、下部傾斜面５１ｃの先端側のすくい面５１ｄ近傍には下部突起５１ｆを、それぞれ設けている。これら上部突起５１ｅおよび下部突起５１ｆは、凸状の凹部形成刃を構成している。
【００６４】
このような３つの切刃５１ａは、加工に使用している１つが摩耗したときに、工具本体９から取り外し、１２０度回転させた状態で再度工具本体９に取り付けることで、他の切刃５１ａを使用することができる。
【００６５】
図１９は、図１７のＥ部を拡大した切刃５１ａによって切削加工を行っている状態を示す断面図である。なお、粗面加工用工具５１は、図１９中で紙面裏側から同表側に向かって移動（回転）するものとする。
【００６６】
上記した切削加工時、すなわち図１に示すように、切削工具３をシリンダボア部５内に回転させつつ挿入することで、シリンダボア内面７をねじ状に切削加工し、このときねじ状部分の山部３９の先端側を、切刃５１ａの上部傾斜面５１ｂまたは切削によって発生する切り屑４２により破断し、破断面４１を形成する。
【００６７】
また、上部傾斜面５１ｂの上部突起５１ｅおよび下部傾斜面５１ｃの下部突起５１ｆにより、粗面加工用工具５１の送り方向後方側のシリンダボア内面７に残るねじ状部分の山部３９と山部３９との間の谷部４７の両側の斜面４７ａ，４７ｂに、凹部４９，５３をそれぞれ形成する。
【００６８】
このような切刃５１ａは、上記したねじ状部分の谷部４７の両側における斜面４７ａ，４７ｂ相互がなす角度θの中心線Ｐが、シリンダボア内面７の法線Ｑ方向に対して傾斜した状態となるように切削加工する。
【００６９】
また、言い換えれば、切刃５１は、上記したねじ状部分の谷部４７の両側における斜面４７ａ，４７ｂの形状が、シリンダボア内面７の法線Ｑ方向に対して非対称となるように切削加工する。
【００７０】
したがって、切刃５１ａは、例えば図２０に示すように、図１９の下部傾斜面５１ｃに代えて、切刃５１ａの先端の角度θがより鈍角的となって法線Ｑと一致する水平面５１ｃｓとしてもよく、また図２１に示すように、図１９の下部傾斜面５１ｃに代えて、切刃５１ａの先端の角度θがさらに鈍角的となる下部傾斜面５１ｃｔとしてもよい。
【００７１】
このように、図１７の粗面加工用工具５１を使用した場合には、粗面加工用工具５１の送り方向後方側のシリンダボア内面７に残るねじ状部分の山部３９と山部３９との間の谷部４７の斜面４７ａ，４７ｂに凹部４９，５３をそれぞれ形成しつつ、シリンダボア内面７に対して粗面化加工を行うべく切削加工を実施している。
【００７２】
このため、ねじ状部分全体が、単に山部３９と山部３９との間に谷部４７を形成する場合に比較して、凹部４９，５３を形成する分より微細に粗面化されるので、破断面４１を形成することも相俟って、粗面化加工が充分なものとなる。この結果、粗面化加工したシリンダボア内面７に後述するような方法により形成する溶射皮膜が剥離しにくくなり、溶射皮膜のシリンダボア内面７に対する密着力を高めることができ、信頼性の高いシリンダボア内面７とすることができる。
【００７３】
また、図１７の粗面加工用工具５１を使用した場合には、図１０の粗面加工用工具４５を使用した場合と同様に、ねじ状部分の谷部４７の両側における斜面４７ａ，４７ｂ相互がなす角度θの中心線Ｐが、シリンダボア内面７の法線Ｑ方向に対して傾斜した状態となるように切削加工を行うようにしている。これにより、谷部４７の両側の斜面４７ａ，４７ｂのうち一方の斜面４７ｂが、シリンダボア内面７の法線Ｑ方向により近い状態となり（図１９，２１）、あるいは法線Ｑ方向と一致する（図２０）。
【００７４】
このため、前記図１５の比較例に示すような谷部４７０の形状、すなわち谷部４７０両側の斜面４７０ａ，４７０ｂ相互がなす角度θが、シリンダボア内面７０の法線Ｑ方向に対して対称的となっている場合に比較して、本実施形態における谷部４７の斜面４７ｂを、法線Ｑ方向により接近させた状態とすることができ、粗面化加工部分に形成する溶射皮膜の谷部４７への侵入部分が剥離しにくくなる。
【００７５】
したがって、この例では、前記図１０の粗面加工用工具４５を使用した場合と同様に、ピストンが下方に摺接移動する際に溶射皮膜を剥離しようとする力が働いても、溶射皮膜の剥離を防止することができるので、溶射皮膜のシリンダボア内面７に対する密着力を高めることができ、信頼性の高いシリンダボア内面７とすることができる。
【００７６】
図２２は、前記図１６に対応する断面図であり、この場合にも、図１６と同様に、シリンダボア内面７における図２２中で下端部に非加工部分Ｄを残すことで、非加工部分Ｄより上部の切削加工部分における最下端部の谷部４７が、シリンダボア内面７の下端開口部分に開口せず、閉じた状態となり、しかも最下端の谷部４７の下部側の斜面４７ｂｕが、図２２中で右上がりとなっているので、この谷部４７に入り込んだ溶射被膜が極めて剥離しにくくなり、溶射被膜全体としてシリンダボア内面７に対する密着力がさらに向上する。
【００７７】
図２４は、前記したシリンダブロック１のシリンダボア内面７に対して粗面化加工した後に溶射皮膜を形成するための溶射装置の概略を示す全体構成図である。この溶射装置は、シリンダボア内の中心に、ガス溶線式の溶射ガン５５を挿入し、その溶射口５５ａから溶射用材料として溶融した鉄系金属材料を溶滴５７として溶射してシリンダボア内面７に溶射皮膜５９を形成する。
【００７８】
溶射ガン５５は、溶線送給機６１から溶射用材料として鉄系金属材料の溶線６３の送給を受けるとともに、アセチレンまたはプロパンあるいはエチレンなどの燃料を貯蔵した燃料ガスボンベ６５および酸素を貯蔵した酸素ボンベ６７から、配管６９および７１を介して燃料ガスおよび酸素の供給をそれぞれ受ける。
【００７９】
上記した溶線６３は、溶射ガン５５に対し、中央部の上下に貫通する溶線送給孔７３の上端から下方に向けて送給する。また、燃料および酸素は、溶線送給孔７３の外側の円筒部７５に、上下方向に貫通して形成してあるガス案内流路７７に供給する。この供給した燃料および酸素の混合ガスは、ガス案内流路７７の図２３中で下端開口部７７ａから流出し、点火されることで燃焼炎７９が形成される。
【００８０】
前記円筒部７５の外周側には、アトマイズエア流路８１を設けてあり、さらにその外周側には、いずれも円筒形状の隔壁８３と外壁８５との間に形成したアクセラレータエア流路８７を設けてある。
【００８１】
アトマイズエア流路８１を流れるアトマイズエアは、燃焼炎７９の熱を前方（図２３中で下方）へ送って周辺部に対する冷却を行うとともに、溶融した溶線６３を同前方へ送る。一方、アクセラレータエア流路８７を流れるアクセラレータエアは、上記前方へ送られ溶融した溶線６３を、この送り方向と交差するように前記シリンダボア内面７に向けて溶滴５７として送り、シリンダボア内面７に溶射皮膜５９を形成する。
【００８２】
アトマイズエア流路８１には、アトマイズエア供給源８９から、減圧弁９１を備えたエア供給管９３を通してアトマイズエアを供給する。一方、アクセラレータエア流路８７には、アクセラレータエア供給源９５から、減圧弁９７およびマイクロミストフィルタ９９をそれぞれ備えたエア供給管１０１を通してアクセラレータエアを供給する。
【００８３】
アトマイズエア流路８１とアクセラレータエア流路８７との間の隔壁８３は、図２３中で下部側の先端部に、外壁８５に対しベアリング１０３を介して回転可能となる回転筒部１０５を備えている。この回転筒部１０５の上部外周に、アクセラレータエア流路８７に位置する回転翼１０７を設けてある。回転翼１０７に、アクセラレータエア流路８７を流れるアクセラレータエアが作用することで、回転筒部１０５が回転する。
【００８４】
回転筒部１０５の先端（下端）面１０５ａには、回転筒部１０５と一体となって回転する先端部材１０９を固定してある。先端部材１０９の周縁の一部には、前記したアクセラレータエア流路８７にベアリング１０３を通して連通する噴出流路１１１を備えた突出部１１３を設けてあり、噴出流路１１１の先端に、溶滴５７を噴出させる前記した溶射口５５ａを設けている。
【００８５】
溶射口５５ａを備える先端部材１０９が回転筒部１０５と一体となって回転しつつ溶射ガン５５をシリンダボア部５の軸方向に移動させることで、シリンダボア内面７のほぼ全域に溶射皮膜５９を形成する。
【符号の説明】
【００８６】
３  切削工具
５  シリンダボア部（円筒状部材）
７  シリンダボア内面（円筒状部材の内面）
９  工具本体
１１  ファインボーリング用工具（前加工用工具）
１３，４３，４５，５１  粗面加工用工具
１３ａ，４３ａ，４５ａ，５１ａ  切刃
１３ｃ  凸部（破断面形成刃）
３９  ねじ状部分の山部
４１  山部を破断して形成した破断面
４３ｃ  膨出部（破断面形成刃）
４７    ねじ状部分の谷部
４７ａ，４７ｂ  谷部の斜面
４９，５３  谷部の斜面に形成した凹部
５１ｅ  上部突起（凸状の凹部形成刃）
５１ｆ  下部突起（凸状の凹部形成刃）
θ  谷部の斜面相互がなす角度
Ｐ  谷部の斜面相互がなす角度の中心線
Ｑ  シリンダボア内面の法線
【図１】
2010228095.tif 000003
【図２】
2010228095.tif 000004
【図３】
2010228095.tif 000005
【図４】
2010228095.tif 000006
【図５】
2010228095.tif 000007
【図６】
2010228095.tif 000008
【図７】
2010228095.tif 000009
【図８】
2010228095.tif 000010
【図９】
2010228095.tif 000011
【図１０】
2010228095.tif 000012
【図１１】
2010228095.tif 000013
【図１２】
2010228095.tif 000014
【図１３】
2010228095.tif 000015
【図１４】
2010228095.tif 000016
【図１５】
2010228095.tif 000017
【図１６】
2010228095.tif 000018
【図１７】
2010228095.tif 000019
【図１８】
2010228095.tif 000020
【図１９】
2010228095.tif 000021
【図２０】
2010228095.tif 000022
【図２１】
2010228095.tif 000023
【図２２】
2010228095.tif 000024
【図２３】
2010228095.tif 000025